(57)【要約】【課題】ユーザの作業が煩雑になるのを防ぐことができる撮像装置【解決手段】被写体を撮像するカメラ部と、ユーザからのフォーカス合わせの指示を受け付ける操作部と、操作部が前記フォーカス合わせの指示を受け付けると、フォーカスが被写体に合うようにカメラ部を制御するフォーカス制御部と、フォーカス制御部の制御により被写体にフォーカスが合うと、被写体に対して撮像予告の音声を報知する報知部とを具備することを特徴とする撮像装置。【選択図】図１
2010044277.tif 000002
【特許請求の範囲】
【請求項１】
被写体を撮像する撮像部と、
ユーザからのフォーカス合わせの指示を受け付ける操作部と、
前記操作部が前記フォーカス合わせの指示を受け付けると、フォーカスが前記被写体に合うように前記撮像部を制御するフォーカス制御部と、
前記フォーカス制御部の制御により前記被写体にフォーカスが合うと、前記被写体に対して第一の音声を報知する報知部と
を具備することを特徴とする撮像装置。
【請求項２】
前記操作部は、前記フォーカス合わせの指示の前段階の指示を受け付け、
前記報知部は、前記操作部が前記フォーカス合わせの指示の前段階の指示を受け付けると、前記被写体に対して第二の音声を報知することを特徴とする請求項１に記載の撮像装置。
【請求項３】
前記報知部は、前記撮像部が撮像するときに、前記被写体に対して第三の音声を報知することを特徴とする請求項１または請求項２に記載の撮像装置。
【請求項４】
前記報知部は、前記第一の音声の報知を、前記被写体にフォーカスが合っている間は繰り返し行い、前記第二の音声の報知を、前記フォーカス合わせの指示の前段階の指示を受け付けている間は繰り返し行うことを特徴とする請求項２に記載の撮像装置。
【請求項５】
前記被写体が撮影条件に合うか否かを判定する撮影条件判定部を備え、
前記報知部は、前記被写体が撮影条件に合わないと前記撮影条件判定部が判定したときは、前記被写体に対して第四の音声を報知すること
を特徴とする請求項１から請求項４のいずれかの項に記載の撮像装置。
【請求項６】
前記報知部は、指向性スピーカを備え、前記被写体に対する音声の報知を、該指向性スピーカを用いて行うことを特徴とする請求項１から請求項５のいずれかの項に記載の撮像装置。
【請求項７】
前記報知部は、前記指向性スピーカの他に、それより指向性の広いスピーカを有し、前記撮像部が撮像するときに、前記ユーザに対して第三の音声を報知することを特徴とする請求項６に記載の撮像装置。
【請求項８】
前記報知部は、前記撮像部のズームの状態に応じて、前記指向性スピーカの指向性の広がりを変更することを特徴とする請求項６に記載の撮像装置。
【請求項９】
前記スピーカの音声の出力方向は、前記撮像部の光軸と略平行または前記撮像部の光軸へ向かって傾いていることを特徴とする請求項１に記載の撮像装置。
【請求項１０】
前記操作部は、前記ユーザからの被写体への報知停止の指示を受け付け、
前記報知部は、前記操作部が前記報知停止の指示を受け付けているときは、前記被写体への音声の報知を行わないこと
を特徴とする請求項１に記載の撮像装置。
【請求項１１】
前記撮像部で得られた撮像内容から人物を認識する人物認識部を備え、
前記報知部は、前記人物認識部の人物認識結果に基づき、前記被写体への音声報知の実行を制御すること
を特徴とする請求項１から請求項１０のいずれかの項に記載の撮像装置。
【請求項１２】
前記人物認識部は更に、撮像内容から人物の状態を判別する判別部を備え、
前記報知部は、前記判別部の判別結果により前記被写体への音声の報知の実行の一部または全部を停止すること
を特徴とする請求項１１に記載の撮像装置。
【請求項１３】
被写体を撮像する撮像部を具備する撮像装置における撮像方法であって、
前記撮像装置が、ユーザからのフォーカス合わせの指示を受け付ける第１の過程と、
前記撮像装置が、前記第１の過程にて前記フォーカス合わせの指示を受け付けると、フォーカスが前記被写体に合うように前記撮像部を制御する第２の過程と、
前記撮像装置が、前記第２の過程の制御により前記被写体にフォーカスが合うと、前記被写体に対して音声を報知する第３の過程と
を備えることを特徴とする撮像方法。
【発明の詳細な説明】
【技術分野】
【０００１】
本発明は、撮像装置および撮像方法に関する。
【背景技術】
【０００２】
従来、人物を写真撮影する際に、ユーザは、被写体となっている人物に対して、「こちらを見てください」、「動かないでください」などの注意を喚起する言葉を掛けることで、撮影する条件が整うようにしている。撮影する条件が整うと、ユーザは、「はい、撮りますよ」、「はい、チーズ」などの撮影を予告する言葉を掛けて、被写体となっている人物が撮影されるタイミングを認識して、撮影するタイミングで、笑顔やポーズを決められるようにしている。ユーザは、このように被写体となっている人物に対して声を掛けると同時に、構図の確認や、カメラの設定、操作を行っている。
【０００３】
また、セルフタイマー機能を用いてユーザ（操作者）とともに、乳幼児などの他の被写体を撮影する際に、シャッターのタイミングに合わせて表示部に被写体の興味を引く画像を表示する、あるいは音声を出力すると同時に、複数枚連写するデジタルカメラがある（例えば、特許文献１参照）。
また、フォーカスが合うたびに、表示または音声で使用者に報知し、２回目以降の合焦時に報知するときは、表示強度を弱くするまたは音量を小さくしているカメラもある（例えば、特許文献２参照）。
なお、被写体に何らかの通知を行うものとしては、可聴音の信号に超音波帯域の搬送波の信号を乗算した信号により駆動される超指向性スピーカが、撮像装置の撮像範囲に音声を出力するように、撮像装置とともに雲台に取り付けられた映像監視装置もある（例えば、特許文献３参照）。
また、上述のような、超音波帯域の搬送波を用いた超指向性スピーカは、例えば特許文献４に記載されている。
【特許文献１】特開２００２−３３０３２７号公報
【特許文献２】特開平６−２０１９８３号公報
【特許文献３】特開２００４−２９７７２８号公報
【特許文献４】特開２００５−２０４２８８号公報
【発明の開示】
【発明が解決しようとする課題】
【０００４】
しかしながら、特許文献１および特許文献２のカメラなど、従来の撮像装置にあっては、ユーザが、被写体となっている人物に対して声を掛けると同時に、構図の確認や、撮像装置の設定、操作を行わなければならず、作業が煩雑になってしまうという問題がある。
また、撮影時に声を掛けると場所により周囲に迷惑になる場合がある。
なお、特許文献３のような映像監視装置では、撮影する条件が整うように、被写体となっている人物に対して声をかけるような必要がなく、また特許文献４の指向性スピーカは特許文献３の映像監視装置に用いられるものの例であり、これらは上述のような問題と直接は関係ない。
【０００５】
本発明は、このような事情に鑑みてなされたもので、その目的は、ユーザの作業が煩雑になるのを防ぐことができ、また、被写体に声を掛けることによる周囲への迷惑が改善できる撮像装置および撮像方法を提供することにある。
【課題を解決するための手段】
【０００６】
（１）この発明は上述した課題を解決するためになされたもので、本発明の撮像装置は、被写体を撮像する撮像部と、ユーザからのフォーカス合わせの指示を受け付ける操作部と、前記操作部が前記フォーカス合わせの指示を受け付けると、フォーカスが前記被写体に合うように前記撮像部を制御するフォーカス制御部と、前記フォーカス制御部の制御により前記被写体にフォーカスが合うと、前記被写体に対して第一の音声を報知する報知部とを具備することを特徴とする。
【０００７】
（２）また、本発明の撮像装置は、上述の撮像装置であって、前記操作部は、前記フォーカス合わせの指示の前段階の指示を受け付け、前記報知部は、前記操作部が前記フォーカス合わせの指示の前段階の指示を受け付けると、前記被写体に対して第二の音声を報知することを特徴とする。
【０００８】
（３）また、本発明の撮像装置は、上述のいずれかの撮像装置であって、前記報知部は、前記撮像部が撮像するときに、前記被写体に対して第三の音声を報知することを特徴とする。
【０００９】
（４）また、本発明の撮像装置は、上述の撮像装置であって、前記報知部は、前記第一の音声の報知を、前記被写体にフォーカスが合っている間は繰り返し行い、前記第二の音声の報知を、前記フォーカス合わせの指示の前段階の指示を受け付けている間は繰り返し行うことを特徴とする。
【００１０】
（５）また、本発明の撮像装置は、上述のいずれかの撮像装置であって、前記被写体が撮影条件に合うか否かを判定する撮影条件判定部を備え、前記報知部は、前記被写体が撮影条件に合わないと前記撮影条件判定部が判定したときは、前記被写体に対して第四の音声を報知することを特徴とする。
【００１１】
（６）また、本発明の撮像装置は、上述のいずれかの撮像装置であって、前記報知部は、指向性スピーカを備え、前記被写体に対する音声の報知を、該指向性スピーカを用いて行うことを特徴とする。
【００１２】
（７）また、本発明の撮像装置は、上述のいずれかの撮像装置であって、前記報知部は、前記指向性スピーカの他に、それより指向性の広いスピーカを有し、前記撮像部が撮像するときに、前記ユーザに対して第三の音声を報知することを特徴とする。
【００１３】
（８）また、本発明の撮像装置は、上述の撮像装置であって、前記報知部は、前記撮像部のズームの状態に応じて、前記指向性スピーカの指向性の広がりを変更することを特徴とする。
【００１４】
（９）また、本発明の撮像装置は、上述の撮像装置であって、前記スピーカの音声の出力方向は、前記撮像部の光軸と略平行または前記カメラ部の光軸へ向かって傾いていることを特徴とする。
【００１５】
（１０）また、本発明の撮像装置は、上述の撮像装置であって、前記操作部は、前記ユーザからの被写体への報知停止の指示を受け付け、前記報知部は、前記操作部が前記報知停止の指示を受け付けているときは、前記被写体への音声の報知を行わないことを特徴とする。
【００１６】
（１１）また、本発明の撮像装置は、上述の撮像装置であって、前記撮像部で得られた撮像内容から人物を認識する人物認識部を備え、人物認識結果により前記被写体への音声報知の実行を制御することを特徴とする。
【００１７】
（１２）また、本発明の撮像装置は、上述の撮像装置であって、前記人物認識部は更に、撮像内容から人物の状態を判別する判別部を備え、判別結果により前記被写体への音声の報知の実行の一部または全部を停止することを特徴とする。
【００１８】
（１３）また、本発明の撮像方法は、被写体を撮像する撮像部を具備する撮像装置における撮像方法であって、前記撮像装置が、ユーザからのフォーカス合わせの指示を受け付ける第１の過程と、前記撮像装置が、前記第１の過程にて前記フォーカス合わせの指示を受け付けると、フォーカスが前記被写体に合うように前記撮像部を制御する第２の過程と、前記撮像装置が、前記第２の過程の制御により前記被写体にフォーカスが合うと、前記被写体に対して音声を報知する第３の過程とを備えることを特徴とする。
【発明の効果】
【００１９】
この発明によれば、報知部は、被写体にフォーカスが合うと被写体に対して撮像予告等の音声を報知するので、ユーザは被写体となっている人物に対して撮像を予告する声を掛ける必要がなくなり、ユーザの作業が煩雑になるのを防ぐことができる。
また、被写体に声を掛けることによる周囲への迷惑が改善できる。
【発明を実施するための最良の形態】
【００２０】
以下、図面を参照して、本発明の実施の形態について説明する。図１は、この発明の一実施形態による携帯電話端末（撮像装置）１の構成を示す概略ブロック図である。本実施形態における携帯電話端末１は、カメラ機能および指向性スピーカを備えており、被写体に対して撮影を予告する音声を報知する。携帯電話端末１は、図１に示すように、主制御部１０、通信制御部１１、無線部１２、プログラムメモリ１３、操作部１４、シャッターボタン１４１、禁止ボタン１４２、ズームボタン１４３、カメラ部１５、映像信号処理部１６、ＧＰＳ(Global Positioning System；全地球測位システム)部１７、報知部１８、メモリ１９、大容量メモリ２０、表示部２１、電池２２を具備する。また、主制御部１０は、撮像制御部１０１、フォーカス制御部１０２、シャッター制御部１０３、ズーム制御部１０４、動き検出部１０５、人物認識部１０６を具備する。
【００２１】
また、カメラ部（撮像部）１５は、光学系１５１、撮像素子１５２を具備する。報知部１８は、マイク１８１、スピーカ１８２、指向性スピーカ１８３、音声処理部１８４を具備し、音声処理部１８４は、指向性制御部１８５を具備する。メモリ１９は、番号プリセット１９１、電話帳１９２、住所データ１９３、音情報１９４、メッセージプリセット１９５、報知音声データ１９６を情報として格納する。
【００２２】
主制御部１０以外の各構成要素は、主制御部１０に対し直接又は間接的に接続する。主制御部１０は、各構成要素によって実行される処理を制御する。主制御部１０以外の各構成要素は、携帯電話端末１の各種機能にかかる処理を行う。以下、携帯電話端末１の各構成要素について説明する。
主制御部１０は、プログラムを読み込んで実行することにより動作する演算処理装置、あるいは、専用のハードウェアを用いて構成することができる。主制御部１０は、撮像制御部１０１、フォーカス制御部１０２、シャッター制御部１０３、ズーム制御部１０４、動き検出部１０５を備える。主制御部１０の詳細な動作については後述する。
【００２３】
通信制御部１１は、無線部１２を用いた無線通信の通信制御を行う。例えば、通信制御部１１は、シーケンス制御や再送制御を実行する。
無線部１２は、通信アンテナを備え、携帯電話網（Ｗ−ＣＤＭＡ網やＣＤＭＡ２０００網など）、無線ＬＡＮ等の無線通信規格に従う無線通信を、該通信アンテナを介して行う。すなわち、無線部１２は、主制御部１０から、カメラ部１５で撮影される画像や、マイク１８１で収音される音声等の入力を受け、入力された画像や音声等に、所定の変調方式による変調処理、無線周波数帯への周波数変換処理、及び増幅処理の各処理を実行し、無線信号として通信アンテナから無線区間に送出する。また、無線部１２は、通信アンテナに到来した無線信号をベースバンド周波数帯へ変換する周波数変換処理、所定の方式による変調処理、及び増幅処理の各処理を施し、信号を主制御部１０に出力する。
【００２４】
プログラムメモリ１３は、携帯電話端末１の種々の機能にかかる各種ソフトウェアを格納する記憶部である。携帯電話端末１の主制御部１０は、このプログラムメモリ１３に記憶されるソフトウェアを読み出し、該ソフトウェアに従う処理を実行することで、撮像制御部１０１、フォーカス制御部１０２、シャッター制御部１０３、ズーム制御部１０４、動き検出部１０５、人物認識部１０６として機能する。
操作部１４は、シャッターボタン１４１、禁止ボタン１４２、ズームボタン１４３、テンキー（図示せず）などを用いた使用者による各種指示の入力を受け付け、主制御部１０に出力する。シャッターボタン１４１は、半押しされたこと（フォーカス合わせの指示）と、押し切られたこと（撮像の指示）とを検出する。また、シャッターボタン１４１は、接触センサを備え、半押しと押し切られたことの検出の他に、使用者の指などが接近または接触したこと（フォーカス合わせの指示の前段階の指示）も検出する。
【００２５】
図２（ａ）は、シャッターボタン１４１の構成の一例を示す断面図である。ここでシャッターボタン１４１は、ボタンＢ１の上述した半押し状態を検出するスイッチＳＷ１と、押し切られた状態を検出するスイッチＳＷ２の２つのスイッチを備え、それぞれ半押し信号、押し切り信号を得てそれぞれの操作情報として利用される。一方、使用者の指の接近または接触の検出としては、シャッターボタン１４１の上部に検出用センサースイッチＳＷ３を設けることにより実現できる。図２（ａ）では、この検出用センサースイッチＳＷ３としてタッチセンサースイッチを使った場合を記載している。このタッチセンサースイッチの一例としては、指で表面を触ることにより静電容量の変化が起こることを検出することにより接触を検出する静電容量結合型のタッチセンサースイッチが利用できる。また、図２（ｂ）のように、ボタンＢ１の上部に赤外発光ダイオードＤ１とフォトダイオードＤ２を設け、赤外発光ダイオードＤ１が赤外光を発し、その光が指の接近による反射または指の接触による遮りをフォトダイオードＤ２が検出することにより、指の接近または接触を検出するようにしてもよい。
【００２６】
禁止ボタン１４２は、押されたこと（音声による報知禁止の指示）を検出する。ズームボタン１４３は、ワイド（広角）側、ズーム（望遠）側のいずれかのボタンが押されたこと（広角、望遠のいずれかの指示）を検出する。
なお、本実施形態では、上述のように操作部１４は、各種ボタンを用いた使用者による各種指示の入力を受け付けるとして説明したが、例えば、カーソルの位置などを入力するためのポインティングデバイスや、タッチパネル等の入力手段を携帯電話端末１が備え、これらの入力手段を用いた各種指示の入力を受け付けるようにしてもよい。
【００２７】
カメラ部１５は、光学系１５１、撮像素子１５２を備える。光学系１５１は、レンズやプリズムにより、外部の光を取り入れて、撮像素子１５２の受光面に被写体の像を結像させる。光学系１５１は、撮像制御部１０１を介したフォーカス制御部１０２の指示に従い、自動的にフォーカス（焦点）を被写体に合わせる。また、光学系１５１は、撮像制御部１０１を介したズーム制御部１０４の指示に従い、広角または望遠の方向に焦点距離を変える。カメラ部１５の撮像素子１５２は、ＣＣＤ（Charge Coupled Device；電荷結合素子）イメージセンサやＣＭＯＳ（Complementary Metal Oxide Semiconductor；相補性金属酸化膜半導体）イメージセンサなど、受光面に光センサが多数配列されたイメージセンサを備える。この各光センサが、受光面に結像した像の明暗に比例した電流を発生し、撮像素子１５２は、この発生した電流を、被写体を撮像した撮像結果の画像データとして映像信号処理部１６に出力する。
【００２８】
映像信号処理部１６は、カメラ部１５から入力された電流をデジタルデータの画像データに変換し、所定の画像処理を施す。そして、映像信号処理部１６は、この画像データを主制御部１０に出力する。
ＧＰＳ部１７は、ＧＰＳアンテナを備え、複数のＧＰＳ衛星からそれぞれ発射された時刻信号電波を受信する。ＧＰＳ部１７は、各時刻信号電波の到達時間の差に基づき、携帯電話端末１の現在の位置データを取得する。そして、ＧＰＳ部１７は、取得した位置データを、主制御部１０に出力する。
【００２９】
報知部１８は、マイク１８１、スピーカ１８２、指向性スピーカ１８３、音声処理部１８４を備える。マイク１８１は、空気を伝播してきた音声を取り入れ、入力された音声の波に応じて電気信号を生成し、音声処理部１８４に出力する。スピーカ１８２は、音声処理部１８４から入力される電気信号に基づき、振動板などの振動体を振動させることによって音声を出力する。
【００３０】
指向性スピーカ１８３は、音波の周波数が高いほど指向性が増す原理に基づくもので、通常、超音波周波数の搬送波信号を、音声処理部１８４から入力された音声（可聴音）信号で変調した電気信号を超音波スピーカで代表される超音波帯域にて動作するスピーカより放出する。これによりその他の条件にもよるが空気中を伝播される過程で可聴音情報が再生される。図３は、指向性スピーカ１８３の基本構成例を示す図である。ここで音声処理部１８４から入力された音声信号と搬送波である超音波周波数信号とが変調器Ｍ１に加えられ、変調器Ｍ１が、この音声信号で搬送波が変調された変調信号を生成して出力する。この出力された信号を超音波スピーカＳＰ１を駆動できるレベルまでに増幅器Ａ１が増幅し、超音波スピーカＳＰ１に加える。これにより音声信号で変調された超音波として超音波スピーカＳＰ１より放出される。
【００３１】
音声処理部１８４は、主制御部１０のフォーカス制御部１０２の制御によりカメラ部１５のフォーカスが被写体に合うと、被写体に対して撮像を予告する撮像予告の音声（第一の音声、例えば、「はい、撮りますよ」、「はい、チーズ」など）を、指向性スピーカ１８３に報知させる。また、音声処理部１８４は、操作部１４が、シャッターボタン１４１に使用者の指などが接触または接近したこと（フォーカス合わせの指示の前段階の指示）を受け付けると、被写体に対して注意を喚起する注意喚起の音声（第二の音声、例えば、「こちらを見てください」、「動かないでください」など）を、指向性スピーカ１８３に報知させる。また、音声処理部１８４は、操作部１４が、シャッターボタン１４１が押し切られたこと（カメラ部１５が撮像するとき）を受け付けると、被写体に対して撮像通知の音声（第三の音声、例えば、シャッター音など）を、指向性スピーカ１８３に報知させる。また、シャッターボタン１４１が押し切られたときは、音声処理部１８４は、上述の被写体に対する撮像通知に加えて、ユーザに対しても撮像通知の音声（例えば、シャッター音）をスピーカ１８２に報知させてもよい。
【００３２】
また、音声処理部１８４は、被写体が撮影条件に合わないと判定したときは、被写体に対して撮影条件に合わないことを警告する警告の音声（第四の音声）を、指向性スピーカ１８３に報知させる。具体的には、本実施形態では、フォーカスが合っているときは、被写体が静止していることを撮影条件とし、音声処理部１８４は、被写体が撮影条件に合わないこと、すなわち被写体が動いていることを動き検出部１０５が検出すると、被写体に対して撮影条件に合わないことを警告する警告の音声、すなわち動いていることを警告する警告の音声（例えば、「動かないでください」、「じっとしてください」など）を、指向性スピーカ１８３に報知させる。このとき、複数の人物が被写体となっている場合には、動き検出部１０５が、これら人物のうち、動いている人物の方向を検出し、音声処理部１８４の指向性制御部１８５は、動き検出部１０５が検出した動いている人物の方向に、警告の音声を報知するように指向性スピーカ１８３を制御するようにしてもよい。
【００３３】
また、音声処理部１８４の指向性制御部１８５は、上述のように４種類の音声報知（撮像予告の音声、注意喚起の音声、撮像通知の音声、警告の音声）のいずれかを指向性スピーカ１８３から出力する際に、ズーム制御部１０４によるカメラ部１５のズーム機能の制御結果であるズーム状態に応じて、音声の進行方向に対して水平及び垂直方向の広がりを変更する。例えば、そのズーム状態によるカメラ部１５の画角と、指向性スピーカ１８３の出力した音声が聞こえる範囲が一致するように、指向性制御部１８５は、指向性スピーカ１８３が出力する音声の指向性を制御する。これにより、カメラ部１５により撮像される画角に入っている被写体に過不足なく、音声を報知することができる。なお、警告の音声のみ、上述のように動き検出部１０５により警告の対象人物の方向を検出し、音声処理部１８４の指向性制御部１８５は、動き検出部１０５が検出した動いている人物の方向に、警告の音声を報知するように指向性スピーカ１８３を制御するようにしてもよい。
【００３４】
具体的には、図４（ａ）及び図４（ｂ）に示すようにカメラ部１５周辺に複数個の指向性スピーカ１８３（図４（ａ）では１８３−１〜１８３−６）からなる超音波スピーカ群１８３ａを配置する。このとき、カメラ部１５の光軸に対して、超音波スピーカＳＰ１各々の音波の中心軸が平行または光軸方向に段階的に向くように配置されている。この複数の指向性スピーカ１８３全部から音声を放出することにより広範囲に対して音声を放出することができる。この時が、カメラ部１５の光学系１５１を広角にして広域を撮影できる状態に対応して、音声報知を広範囲に行う場合である。また、複数の指向性スピーカ１８３の内、周辺に位置する指向性スピーカ１８３からの音声放出を停止させるよう指向性制御部１８５が制御することにより音声の指向性としては狭い状態にすることができる。このときが、カメラ部１５の光学系１５１を望遠にして狭域を拡大して撮影できる状態、つまりズームアップされた状態に対応して、音声報知を狭い範囲に行う場合である。ここで当然、指向性スピーカ１８３の指向性は実際はある程度の広がりがあるため、光軸と平行の指向性スピーカ１８３を選択してもそれより離れる方向に多少広がりを持つ。また、用途によっては、例えば、一部の指向性スピーカ１８３の音波の中心軸が、光軸に対して外側に対して広がりを持つように構成しても良い。
【００３５】
また、音声処理部１８４は、撮像を予告する音声の報知を、被写体にカメラ部１５のフォーカスが合っている間は繰り返し行うようにしてもよい。また、同様に、音声処理部１８４は、注意を喚起する音声の報知を、使用者の指などが接触または接近したことを操作部１４が検出している間は繰り返し行うようにしてもよい。
【００３６】
また、携帯電話端末１を携帯電話として動作させる際には、音声処理部１８４は、マイク１８１から入力された電気信号からノイズを除去し、ノイズ除去後の電気信号を主制御部１０へ出力する。また、音声処理部１８４は、メモリ１９が記憶している着信音などの音情報１９４や、無線部１２を介して他の電話機から受信される音声信号を、スピーカ１８２を介して出力する。
【００３７】
メモリ１９は、携帯電話端末１の処理に必要な種々のデータを記憶する。具体的には、番号プリセット１９１、電話帳１９２、住所データ１９３、音情報１９４、メッセージプリセット１９５、報知音声データ１９６を記憶する。以下、それぞれについて説明する。
番号プリセット１９１は、予めメモリ１９に登録されている電話番号及びその付属情報（名前等）である。電話帳１９２は、使用者によって入力された電話番号及びその付属情報（名前等）である。住所データ１９３は、使用者によって入力された住所に関する情報であり、電話帳の一部を構成する。音情報１９４は、電話などの着信をユーザに通知する着信音の情報である。メッセージプリセット１９５は、予めメモリ１９に登録されている音声データ及び文字データである。報知音声データ１９６は、カメラ部１５にて被写体を撮像する際に、被写体またはユーザへの報知に用いられる音声に関するデータである。本実施形態では、メモリ１９は、報知音声データ１９６として、注意喚起の音声データ、撮像予告の音声データ、警告の音声データ、撮像通知の音声データを記憶している。
【００３８】
なお、メモリ１９は、報知音声データ１９６として、被写体またはユーザに報知する音声データを格納し、音声処理部１８４は、メモリ１９が格納する報知音声データ１９６を取得し、該報知音声データ１９６から、スピーカ１８２または指向性スピーカ１８３に出力させる音声の信号を生成するようにしてもよい。あるいは、メモリ１９は、報知音声データ１９６として、被写体またはユーザに報知する音声の音を表すテキストデータを格納し、音声処理部１８４は、メモリ１９が格納する報知音声データ１９６を取得し、該報知音声データ１９６から、スピーカ１８２または指向性スピーカ１８３に出力させる音声の信号を合成するようにしてもよい。
【００３９】
大容量メモリ２０は、主制御部１０が読書き可能な大容量の不揮発性メモリであり、カメラ部１５が撮像した画像のデータなどを格納する。
表示部２１は、主制御部１０から入力される各種画像を表示する。例えば、表示部２１は、液晶ディスプレイや有機ＥＬ（Organic Electro-Luminescence）ディスプレイなどを備える。
電池２２は充電池（二次電池）又は乾電池（一次電池）などであり、携帯電話端末１の各部を駆動する直流電力を供給する。
【００４０】
主制御部１０が備える撮像制御部１０１、フォーカス制御部１０２、シャッター制御部１０３、ズーム制御部１０４、動き検出部１０５について説明する。撮像制御部１０１は、フォーカス部１０２、シャッター制御部１０３、ズーム制御部１０４の指示に従い、カメラ部１５のフォーカス、シャッター、ズームを制御し、カメラ部１５による撮像結果の画像データを、映像信号処理部１６から取得して、大容量メモリ２０に格納する。また、シャッター制御部１０３による撮像指示を受けたとき以外にも、映像信号処理部１６を介してカメラ部１５が撮像している画像のデータを取得し、動き検出部１０５に出力する。
【００４１】
フォーカス制御部１０２は、操作部１４がシャッターボタン１４１の半押しを検出すると、すなわちフォーカス合わせの指示を受け付けると、フォーカスが被写体に合うように撮像制御部１０１を介してカメラ部１５を制御する。さらに、フォーカス制御部１０２は、この制御によりフォーカスが合うと、報知部１８の音声処理部１８４にフォーカスが合ったことを通知する。なお、このフォーカス合わせは、例えば、被写体までの距離を計測する測距部（図示しない）を携帯電話端末１が具備し、この測距部による計測結果を用いるようにしてもよい。
【００４２】
シャッター制御部１０３は、操作部１４がシャッターボタン１４１が押し切られたこと（撮像の指示）を受け付けると、撮像を実施する（シャッターを切る）ように撮像制御部１０１を介してカメラ部１５を制御し、撮像制御部１０１を介して映像信号処理部１６から撮像結果の画像データを取得する。ズーム制御部１０４は、操作部１４がズームボタン１４３のワイド側またはズーム側のいずれかのボタンが押されたことを受け付けると、押されたボタンに従い、撮像制御部１０１を介してカメラ部１５のズームを制御する。
【００４３】
動き検出部（撮影条件判定部）１０５は、フォーカス制御部１０２の制御により、フォーカスが被写体に合っており、シャッター制御部１０３による撮像指示を受けたとき以外のときは、撮像制御部１０１からカメラ部１５が撮像している画像のデータを定期的に取得し、前回と今回取得したデータの画像を比較して、動きのある部分、すなわち動いている被写体を検出する。そして、動き検出部１０５は、検出した動いている被写体の画像中の位置と、該画像を撮影した際のカメラ部１５のズームの状態とに基づき、該動いている被写体の当該携帯電話端末１からの方向を算出する。
【００４４】
人物認識部１０６は、撮像制御部１０１からカメラ部１５の撮像内容の画像のデータを取得し、該画像から人物を認識する。この人物認識結果を受けた報知部１８は、人物認識結果に基づき、前記被写体への音声報知の実行を制御する。すなわち、報知部１８は、人物認識部１０６が人物を認識しているときは、被写体への音声報知を行い、認識していないときは、被写体への音声報知（撮像予告の音声、注意喚起の音声、撮像通知の音声、警告の音声）を行わない。なお、人物認識部１０６による人物の認識は、デジタルカメラなどで一般的に用いられている顔検出処理により、撮影内容の画像から顔を検出したときは、人物を認識したとするようにしてもよい。
【００４５】
また、人物認識部１０６は、カメラ部１５の撮像内容の画像のデータから人物の状態を判別する判別部１０７を備える。具体的には、判別部１０７は、人物の状態が撮影に適した顔、ポーズをしているかを判断する。この判断結果を受けた報知部１３８は、判別結果により被写体への音声報知の実行の一部または全部を停止する。例えば、判別部１０７は、認識した人物の顔が笑顔であるか否かを判定し、笑顔であれば、撮影の準備ができていると判断し、この判断結果を受けて、報知部１８１８は、「ハイ撮りますよ」、「はい、チーズ」などの撮影予告の音声を停止する。
上述した動き検出結果、顔検出または図示してないが赤外線検出するセンサー等で人物の存在を検出して種々音声出力の制御を行い、人物の存在が検出されない場合は、操作者に対する音声出力以外を停止する。
【００４６】
図５は、本実施形態における携帯電話端末１による撮影時の動作を説明するフローチャートである。まず、操作部１４が、シャッターボタン１４１にユーザの指などの接触の検出を行う（Ｓａ１）。このステップＳａ１にて接触または接近を検出しなかったときは（Ｓａ１−Ｎｏ）、再びステップＳａ１に戻って、接触の検出を繰り返す。一方、ステップＳａ１にて接触を検出したときは（Ｓａ１−Ｙｅｓ）、報知部１８の音声処理部１８４は、メモリ１９の報知音声データ１９６から注意喚起の音声データを選択する（Ｓａ２）。次に、音声処理部１８４は、ステップＳａ２にて選択した注意喚起の音声データの音声を、カメラ部１５の被写体に対して指向性スピーカ１８３に報知させる（Ｓａ３）。
【００４７】
次に、操作部１４は、シャッターボタン１４１が半押しにされたことの検出を行なう（Ｓａ４）。このステップＳａ４にて半押しを検出しなかったときは（Ｓａ４−Ｎｏ）、再びステップＳａ４に戻って、半押しの検出を繰り返す。一方、ステップＳａ４にて半押しを検出したときは（Ｓａ４−Ｙｅｓ）、フォーカス制御部１０２が、撮像制御部１０１を介してカメラ部１５にフォーカス合わせを行うように制御する（Ｓａ５）。次に、フォーカス制御部１０２は、カメラ部１５のフォーカスが被写体に合っていることの検出を行なう（Ｓａ６）。このステップＳａ６にてフォーカスが合っていることを検出しなかったときは（Ｓａ６−Ｎｏ）、再びステップＳａ６に戻ってフォーカスが合っていることの検出を繰り返す。
【００４８】
一方、ステップＳａ６にてフォーカスが合っていることを検出したときは（Ｓａ６−Ｙｅｓ）、動き検出部１０５が撮像制御部１０１を介して映像信号処理部１６が出力する画像データを定期的に取得し、画像データ中の被写体の動きの検出処理を行う（Ｓａ７）。このステップＳａ７の検出処理にて、動き検出部１０５が、被写体の動きが有ることを検出したときは（Ｓａ８−Ｙｅｓ）、音声処理部１８４は、メモリ１９の報知音声データ１９６から警告の音声データを選択する（Ｓａ１１）。次に、音声処理部１８４は、ステップＳａ１１にて選択した警告の音声データの音声を、カメラ部１５の被写体に対して指向性スピーカ１８３に報知させる（Ｓａ１２）。このとき、好ましくは、動き検出部１０５が動きがあることを検出した画像中の領域の方向に、警告の音声を出力するように指向性制御部１８５を設定し、動いている被写体に、警告の音声が聞こえるようにする。次に、ステップＳａ７に戻って、動き検出処理を行い、被写体の動きが検出されなくなるまで繰り返す。または、設定した回数のみ繰り返す方法や操作者の指示した場合のみ繰り替えしてもよい。
【００４９】
一方、このステップＳａ７の検出処理にて、動き検出部１０５が、被写体の動きを検出しなかったとき（Ｓａ８−Ｎｏ）、すなわち被写体が静止していることを検出したときは、音声処理部１８４は、メモリ１９の報知音声データ１９６から撮像予告の音声データを選択する（Ｓａ９）。次に、音声処理部１８４は、ステップＳａ９にて選択した撮像予告の音声データの音声を、被写体に対して指向性スピーカ１８３に報知させる（Ｓａ１０）。
【００５０】
次に、操作部１４はシャッターボタン１４１が押し切られたことの検出を行なう（Ｓａ１３）。このステップＳａ１３にて押し切られたことを検出しなかったときは（Ｓａ１３−Ｎｏ）、再びステップＳａ１３に戻って、押し切られたことの検出を繰り返す。一方、ステップＳａ１３にて押し切られたことを検出したときは（Ｓａ１３−Ｙｅｓ）、報知部１８の音声処理部１８４は、メモリ１９の報知音声データ１９６から撮像通知の音声データを選択する（Ｓａ１４）。次に、音声処理部１８４は、ステップＳａ１４にて選択した撮像通知の音声データの音声を、被写体に対して指向性スピーカ１８３に報知させる（Ｓａ１５）。さらに、音声処理部１８４は、ステップＳａ１４にて選択した撮像通知の音声データの音声を、ユーザに対してスピーカ１８２に報知させる（Ｓａ１６）。
【００５１】
さらに、これらの音声による通知を行うとともに、シャッター制御部１０３は、操作部１４からシャッターボタン１４１が押し切られたことを受けて、撮像処理を行う（Ｓａ１７）。すなわち、シャッター制御部１０３は、撮像制御部１０１を介して、カメラ部１５に被写体を撮像させ、さらに映像信号処理部１６が出力した撮像結果の画像データを取得し、大容量メモリ２０に格納する。そして、撮像モードを終了するときは（Ｓａ１８−Ｙｅｓ）、処理を終了し、続けるときは（Ｓａ１８−Ｎｏ）、ステップＳａ１に戻る。
【００５２】
図６は、図５のステップＳａ３、Ｓａ１０、Ｓａ１２、Ｓａ１３に示す音声報知処理の詳細を示すフローチャートである。音声報知処理を開始すると、操作部１４は、禁止ボタン１４２が押されたことの検出を行う（Ｓｂ１）。このステップＳｂ１にて禁止ボタン１４２が押されたことを検出したときは（Ｓｂ１−Ｎｏ）、音声処理部１８４は、音声報知処理を終了する。一方、ステップＳｂ１にて禁止ボタン１４２が押されたことを検出しなかったときは（Ｓｂ１−Ｙｅｓ）、音声処理部１８４は、ズーム制御部１０４からカメラ部１５のズームの状態、すなわち焦点距離を取得する（Ｓｂ２）。次に、音声処理部１８４は、ステップＳｂ２で取得したズームの状態に合わせた指向性の広がりを指向性制御部１８５に設定する（Ｓｂ３）。
【００５３】
次に、音声処理部１８４は、フォーカス制御部１０２から被写体までの距離、すなわちカメラ部１５のフォーカスを合わせた距離を取得する（Ｓｂ４）。音声処理部１８４は、ステップＳｂ４で取得した距離に対応して、予め決められた音声の出力レベル（音量）を設定する（Ｓｂ５）。そして、音声処理部１８４は、音声報知処理を開始する前（ステップＳａ２、Ｓａ９、Ｓａ１１、またはＳａ１４）に選択した音声のデータから音声信号を生成し、この生成した音声信号の音声を、ステップＳｂ３およびＳｂ５で設定した指向性、音声出力レベルで指向性スピーカ１８３に報知させ（Ｓｂ６）、音声報知処理を終了する。
【００５４】
図７は、本実施形態における携帯電話端末１の概略外観図である。同図に示すように、超音波スピーカ群１８３ａを構成する各指向性スピーカ１８３は、被写体に向かって指向性のある音声を報知できるように、その音声の出力方向は、カメラ部１５の光学系１５１の光軸と略平行である。なお、指向性スピーカ１８３の出力方向が、光学系１５１の光軸へ向かって傾いていても良い。
【００５５】
なお、ステップＳａ１０に示すように、報知部１８の音声処理部１８４は、フォーカス制御部１０２の制御により被写体にフォーカスが合うと被写体に対して撮像予告の音声を指向性スピーカ１８３に報知させるので、ユーザは被写体となっている人物に対して撮像を予告する声を掛ける必要がなくなり、ユーザの作業が煩雑になるのを防ぐことができる。これにより、ユーザは構図の確認、カメラの設定、操作に集中することができる。
【００５６】
また、ステップＳａ３に示すように、報知部１８の音声処理部１８４は、シャッターボタン１４１にユーザの指などが触れると被写体に対して注意喚起の音声を指向性スピーカ１８３に報知させるので、ユーザは被写体となっている人物に対して注意を喚起する声を掛ける必要がなくなり、ユーザの作業が煩雑になるのを防ぐことができる。これにより、ユーザは構図の確認、カメラの設定、操作に集中することができる。
【００５７】
また、ステップＳａ１５に示すように、報知部１８の音声処理部１８４は、シャッターボタン１４１が押し切られ、カメラ部１５が撮像するときに、被写体に対して撮像通知の音声を指向性スピーカ１８３に報知させるので、ユーザが被写体となっている人物に対して撮像を通知する声を掛ける必要がなくなり、ユーザの作業が煩雑になるのを防ぐことができる。これにより、ユーザは構図の確認、カメラの設定、操作に集中することができる。
【００５８】
また、ステップＳａ１６に示すように、報知部１８の音声処理部１８４は、シャッターボタン１４１が押し切られ、カメラ部１５が撮像するときに、ユーザに対して撮像通知の音声をスピーカ１８２に報知させるので、ユーザはカメラ部１５が撮像したこと、および撮像のタイミングを確認することができる。
【００５９】
また、ステップＳａ１２に示すように、報知部１８の音声処理部１８４は、被写体が撮影条件に合わない（動いている）と動き検出部１０５が判定したときは、被写体に対して警告の音声を指向性スピーカ１８３に報知させるので、ユーザが被写体となっている人物に対して警告の声を掛ける必要がなくなり、ユーザの作業が煩雑になるのを防ぐことができる。これにより、ユーザは構図の確認、カメラの設定、操作に集中することができる。
さらに、動き検出部１０５は、複数の被写体が動いているか否かを検出し、被写体となっている人物のうち、動いている人物にのみ、警告の音声が聞こえるようにするので、余計な警告の音声を聞かせてしまい、被写体となっている他の人物に不快な思いをさせることを防ぐことができる。
【００６０】
なお、本発明の実施の形態として、操作部１４、シャッターボタン１４１、禁止ボタン１４２、ズームボタン１４３、カメラ部１５、映像信号処理部１６、スピーカ１８２と指向性スピーカ１８３と音声処理部１８４を有する報知部１８、撮像制御部１０１、フォーカス制御部１０２、シャッター制御部１０３、ズーム制御部１０４、動き検出部１０５、報知音声データ１９６を格納したメモリ１９を有する携帯電話端末１を説明したが、この実施形態の変形例として、これらの各部を備えるデジタルカメラ（撮像装置）２がある。
【００６１】
図８は、本実施形態の変形例であるデジタルカメラ２の概略外観図である。同図に示すように、デジタルカメラ２においても、超音波スピーカ群１８３ａを構成する各指向性スピーカ１８３は、被写体に向かって指向性のある音声を報知できるように、その音声の出力方向は、光学系１５１の光軸と平行である。なお、指向性スピーカ１８３の出力方向が、光学系１５１の光軸へ向かって傾いていても良い。
【００６２】
なお、この操作部１４、音声処理部１８４、撮像制御部１０１、フォーカス制御部１０２、シャッター制御部１０３、ズーム制御部１０４、動き検出部１０５は専用のハードウェアにより実現されるものであってもよく、また、これらの各部はメモリおよびＣＰＵ（中央演算装置）により構成され、各部の機能を実現するためのプログラムをメモリにロードして実行することによりその機能を実現させるものであってもよい。
【００６３】
また、図１における操作部１４、音声処理部１８４、撮像制御部１０１、フォーカス制御部１０２、シャッター制御部１０３、ズーム制御部１０４、動き検出部１０５の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６５】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００６６】
本発明は、デジタルカメラ付きの携帯電話端末、デジタルカメラに用いて好適であるが、これらに限定されない。
【図面の簡単な説明】
【００６７】
【図１】この発明の一実施形態による携帯電話端末１の構成を示すブロック図である。
【図２】同実施形態におけるシャッターボタン１４１の構成の一例を示す断面図である。
【図３】同実施形態における指向性スピーカ１８３の基本構成例を示す図である。
【図４】同実施形態における指向性スピーカ１８３の配置例を示す図である。
【図５】同実施形態における携帯電話端末１の動作を説明するフローチャートである。
【図６】同実施形態における図２のステップＳａ３、Ｓａ１０、Ｓａ１２、Ｓａ１３に示す音声報知処理の詳細を示すフローチャートである。
【図７】同実施形態における携帯電話端末１の概略外観図である。
【図８】同実施形態の変形例であるデジタルカメラ２の概略外観図である。
【符号の説明】
【００６８】
１…携帯電話端末
２…デジタルカメラ
１０…主制御部
１１…通信制御部
１２…無線部
１３…プログラムメモリ
１４…操作部
１４１…シャッターボタン
１４２…禁止ボタン
１４３…ズームボタン
１５…カメラ部
１５１…光学系
１５２…撮像素子
１６…映像信号処理部
１７…ＧＰＳ部
１８…報知部
１８１…マイク
１８２…スピーカ
１８３…指向性スピーカ
１８４…音声処理部
１８５…指向性制御部
１９…メモリ
１９１…番号プリセット
１９２…電話帳
１９３…住所データ
１９４…音情報
１９５…メッセージプリセット
１９６…報知音声データ
２０…大容量メモリ
２１…表示部
２２…電池
【図１】
2010044277.tif 000003
【図２】
2010044277.tif 000004
【図３】
2010044277.tif 000005
【図４】
2010044277.tif 000006
【図５】
2010044277.tif 000007
【図６】
2010044277.tif 000008
【図７】
2010044277.tif 000009
【図８】
2010044277.tif 000010